(57)【要約】【課題】簡易な構成でありながら高品質な通信を維持することができる漏洩同軸ケーブルを用いたダイバシティ方式を提供する。【解決手段】所定の場所に配設された漏洩同軸ケーブル１と、所定の周波数帯の高周波信号をその送信端子から送出する送信機２と、この送信機２の送信端子と前記漏洩同軸ケーブル１の両端との間に介挿接続されて、所定の周期で前記送信機２の送信端子から送出された前記高周波信号を前記漏洩同軸ケーブル１のいずれか一端に切り換えて出力する切換器１０とを備えることを特徴とする漏洩同軸ケーブルを用いたダイバシティ方式。【選択図】図１
2007312086.tif 000002
【特許請求の範囲】
【請求項１】
所定の場所に配設された漏洩同軸ケーブルと、
所定の周波数帯の高周波信号をその送信端子から送出する送信機と、
この送信機の送信端子と前記漏洩同軸ケーブルの両端との間に介挿接続されて、所定の周期で前記送信機の送信端子から送出された前記高周波信号を前記漏洩同軸ケーブルのいずれか一端に切り換えて出力する切換器と
を備えることを特徴とする漏洩同軸ケーブルを用いたダイバシティ方式。
【請求項２】
所定の場所に配設された漏洩同軸ケーブルと、
この漏洩同軸ケーブルの両端にそれぞれ接続されて、該漏洩同軸ケーブルのいずれか一端にその接続を切り換える切換器と、
この切換器によって切り換えられて、前記漏洩同軸ケーブルの両端のいずれか一端に接続される受信機と
を具備し、
前記切換器は、前記漏洩同軸ケーブルが所定の周波数帯の電波を送出する送信機の電波を受けて、その両端に導かれる前記電波の電界強度が強い一端に接続を切り換えて前記受信機に該電波を導くことを特徴とする漏洩同軸ケーブルを用いたダイバシティ方式。
【発明の詳細な説明】
【技術分野】
【０００１】
本発明は、漏洩同軸ケーブルを用いたダイバシティ方式に関する。
【背景技術】
【０００２】
近時、無線ＬＡＮなどの無線システムの利用拡大に伴い、安定した通信品質を得ることが容易な漏洩同軸ケーブル（以下、ＬＣＸと称することがある）をアンテナに用いた通信システムが試みられている（例えば、非特許文献１を参照）。この無線システムは、概略的には図３に示すように所定の場所（例えば、ビル内のフロア等）に配設されたＬＣＸ１と、このＬＣＸ１の一端１ａ（図３では、ＬＣＸ１の左端）から所定の周波数帯の高周波信号を、その送信端子２ａから送出する送信機２と、ＬＣＸ１の他端１ｂ（図３では、ＬＣＸ１の右端）に接続されて、送信機２からＬＣＸ１に送り込まれた高周波信号を終端する終端抵抗器４を備え、ＬＣＸ１が有するスロット１ｃからこのＬＣＸ１の近傍の空間に放射された電波を受けるアンテナ３ａを備えた受信機３によって受信されるように構成される。尚、図３は、送信機２および受信機３を有する構成として描いているが、それぞれ送受信機として相互に無線通信を行うよう構成された無線システムもある。
【０００３】
また、ＬＣＸを用いた列車無線システムにおいても通信品質を向上させるべく移動体（列車）の移動経路に沿って同一方向に延伸するように２条のＬＣＸを敷設し、これらＬＣＸから放射される電波を受信するダイバシティ方式の提唱がなされている（例えば、特許文献１を参照）。
これらの無線システムにおいてＬＣＸから放射される電波の方向は、ＬＣＸの長手方向（軸方向）に対して鉛直方向ではなく、ＬＣＸの設計・構造および電波の周波数等によって決まる放射角を有することが知られている（例えば、非特許文献２を参照）。
【特許文献１】特公平６−４４７２９号公報
【非特許文献１】松下尚弘、外２名、「漏洩同軸ケーブル方式無線ＬＡＮ」、東芝レビュー、株式会社東芝、２００３年、第５８巻、第１１号、ｐ．４１−４４
【非特許文献２】岸本利彦・佐々木伸  共著、「ＬＣＸ通信システム」、第２版、社団法人電子通信学会、昭和６０年９月１日、ｐ．１８−２１
【発明の開示】
【発明が解決しようとする課題】
【０００４】
しかしながら、図２に示されるような１本のＬＣＸを用いた無線システムの場合、ＬＣＸ１のスロット１ｃから空間に放射される電波が、受信機に直接到達する直接波の他に、例えば建物内の壁面や床面とうの電波反射体５によって反射されて受信機に到達する反射波もある。この場合、直接波と反射波が互いに干渉し合い、それぞれの電波の位相によって受信機が配置された場所における受信電界強度が低下する、いわゆるヌルポイントが存在する。このため、受信機がこのヌルポイントにある場合、無線通信が不安定になることがある。
【０００５】
また、このような感度低下点（ヌルポイント）を避けるべく前述のダイバシティ方式は、２条のＬＣＸを一対として敷設した無線システムではあるものの、例えばこの方式をビル内に適用する場合等では、２条のＬＣＸを最適に配置することが困難であり、また２条のケーブルを用いているため送受信設備が複雑となることと相俟って設置コストが多大になるという問題があった。
【０００６】
本発明は、このような従来の問題点を解決すべくなされたものであり、その目的とするところは、簡易な構成でありながら高品質な通信を維持することができる漏洩同軸ケーブルを用いたダイバシティ方式を提供することにある。
【課題を解決するための手段】
【０００７】
上述した目的を達成するべく本発明の漏洩同軸ケーブルを用いたダイバシティ方式は、所定の場所に配設された漏洩同軸ケーブルと、所定の周波数帯の高周波信号をその送信端子から送出する送信機と、この送信機の送信端子と前記漏洩同軸ケーブルの両端との間に介挿接続されて、所定の周期で前記送信機の送信端子から送出された前記高周波信号を前記漏洩同軸ケーブルのいずれか一端に切り換えて出力する切換器とを備えることを特徴としている。
【０００８】
上述の漏洩同軸ケーブルを用いたダイバシティ方式は、切換器によってＬＣＸ内を伝搬する高周波信号の進行方向を切り換えてＬＣＸが有するスロットから所定の放射角をもって空間の異なる方向に電波が放射される。
また本発明の漏洩同軸ケーブルを用いたダイバシティ方式は、所定の場所に配設された漏洩同軸ケーブルと、この漏洩同軸ケーブルの両端にそれぞれ接続されて、該漏洩同軸ケーブルのいずれか一端にその接続を切り換える切換器と、この切換器によって切り換えられて、前記漏洩同軸ケーブルの両端のいずれか一端に接続される受信機とを具備して提供され、前記切換器は、前記漏洩同軸ケーブルが所定の周波数帯の電波を送出する送信機の電波を受けて、その両端に導かれる前記電波の電界強度が強い一端に接続を切り換えて前記受信機に該電波を導くことを特徴としている。
【０００９】
上述の漏洩同軸ケーブルを用いたダイバシティ方式は、ＬＣＸをアンテナとして用い、ＬＣＸに設けられたスロットからＬＣＸ内に導かれた電波のうち、電界強度が高いＬＣＸの一端部側に切換器によってその接続を切り換えられて受信機へ与えられ、良好に受信される。
【発明の効果】
【００１０】
本発明の漏洩同軸ケーブルを用いたダイバシティ方式は、送受信機から送出された高周波信号を切換器によって周期的に切り換えてＬＣＸの両端に交互に導いているので、ＬＣＸ内を伝搬する高周波信号の進行方向によってＬＣＸが有するスロットから空間に放射される電波の方向（放射角）が異なり、受信機に至る二つのダイバシティチャネルを作り出すことができる。
【００１１】
また本発明の漏洩同軸ケーブルを用いたダイバシティ方式は、ＬＣＸをアンテナとして用いたとき、切換器によってＬＣＸの二つの端部に導かれる電波（高周波信号）の電界強度の強い電波を受信機に導くようにしているので、良好な受信状態を維持することができる。
このため本発明の漏洩同軸ケーブルを用いたダイバシティ方式は、簡易な構成でありながら高い通信品質を維持することができるという実用上優れた効果を奏し得る。
【発明を実施するための最良の形態】
【００１２】
以下、本発明に係る漏洩同軸ケーブルを用いたダイバシティ方式について図面を参照しながら説明する。尚、図１および図２は、本発明を実施する形態の一例を示したものであって、これらの図によって本発明が限定されるものではない。また図１は、本発明の第一の実施形態に係る漏洩同軸ケーブルを用いたダイバシティ方式の概略構成を示す図であるって、従来の無線システムを示す図３と同様の構成要素については、同符号を付し、その説明を略述する。
【００１３】
さて、図１において１は、例えばビル等の建物内のフロア等に予め配設されたＬＣＸである。またこの図において２は、所定の周波数帯の高周波信号を、その送信端子から送出する送信機である。この送信機２の送信端子２ａから送出された高周波信号は、この高周波信号を受け入れる入力端子１０ａおよびこの受け入れた高周波信号を、二つの出力端子１０ｂ，１０ｃのいずれか一方に所定の周期で切り換えて送り出す切換器１０に与えられる。切換器１０の二つの出力端子１０ｂ，１０ｃは、ＬＣＸ１の両端に互いに排他的に接続される。この切換器１０は、二つの出力端子１０ｂ，１０ｃのいずれか一方に接続を切り換える切換制御部１３によって切り換えられる。そして切換器１０によって切り換えられてＬＣＸ１に送り出された高周波信号は、ＬＣＸ１に設けられたスロット１ｃから空間に電波として放射され、受信機３によって受信される。
【００１４】
概略的には上述したように構成された本発明に係るＬＣＸを用いたダイバシティ方式において、切換器１０は、詳しくは入力端子１０ａから入力された高周波信号を二つの出力端子１０ｂ，１０ｃに切り換えて出力する二組のスイッチ（単極双投スイッチ：第一のスイッチ１１および第二のスイッチ１２）を備えて構成される。この第一および第二のスイッチ１１，１２は、切換制御部１３によってそれぞれのスイッチ１１，１２が有する接点を連動させながら、所定の周期でこれらの接点が切り換えられる。
【００１５】
これら第一および第二のスイッチ１１，１２のコモン接点１１ｃ，１２ｃは、切換器１０の二つの出力端子１０ｂ，１０ｃとそれぞれ接続されている。また第一および第二のスイッチ１１，１２は、切換制御部１３によって切り換えられる接点としてそれぞれ二組の接点１１ａ，１１ｂ、１２ａ，１２ｂを備えている。そしてこれら二組の接点は、切換制御部１３の制御によって連動して切り換えられる。
【００１６】
この切換器１０は、第一のスイッチ１１のコモン接点１１ｃとこの第一のスイッチ１１の接点１１ａが接触しているとき、第二のスイッチ１２のコモン接点１２ｃと、この第二のスイッチ１２の接点１２ｂとが非接触となる。第二のスイッチ１２の接点１２ｂは、第一のスイッチ１１の接点１１ａと互いに接続されて終端抵抗器４の一端に接続される。尚、この終端抵抗器４の他端は接地される。また、終端抵抗器４に接続されていない第一のスイッチ１１のスイッチの端子１１ｂおよび第二のスイッチ１２の接点１２ａは、互いに入力端子１０ａに接続される。
【００１７】
そして切換制御部１３によって第一および第二のスイッチ１１，１２がそれぞれ切り換えられて、各スイッチ１１，１２のコモン端子１１ｃ，１２ｃが、図１においてそれぞれ左側に位置する各スイッチ１１，１２の端子１１ａ，１２ａに接続するように切り換えられているとき、送信機２が送出した高周波信号は、第二のスイッチ１２を通って出力端子１０ｃからＬＣＸ１の右側の端子１ｂからＬＣＸ１内に導かれ、ＬＣＸ１のスロット１ｃから電波として空間に放射されながらＬＣＸ１の左側の端子１ａおよび第一のスイッチ１１を通って終端抵抗器４にて終端される（第一の切換状態）。
【００１８】
次に切換制御部１３によって第一および第二のスイッチ１１，１２が切り換えられて、各スイッチ１１，１２のそれぞれのコモン端子１１ｃ，１２ｃが、図１においてそれぞれ右側に位置する各スイッチの端子１１ｂ，１２ｂに接続するように切り換えられているとき、送信機２が送出した高周波信号は、第一のスイッチ１１を通って出力端子１０ｂからＬＣＸ１の左側の端子１ａからＬＣＸ１内に導かれ、ＬＣＸ１のスロット１ｃから電波として放射されながらＬＣＸ１の左側の端子１ｂおよび第二のスイッチ１２を通って終端抵抗器４にて終端される（第二の切換状態）。
【００１９】
ちなみにＬＣＸ１のスロット１ｃから放射される電波の放射角は、前述したようにＬＣＸ１内を伝搬する高周波信号の進行方向によって異なった角度となる。したがって、ＬＣＸ１内を通る高周波信号の方向を切換器１０で切り換えることで、ＬＣＸ１のスロット１ｃから放射される電波の放射角を切り換えることができる。
したがってＬＣＸ１のスロット１ｃから放射される電波の放射角が異なるため、例えば第一の切換状態のとき、受信機３の受信点がヌルポイントになったとしても、第二の切換状態では、ヌルポイントになる可能性が少なく、それ故、ヌルポイントを大幅に少なくすることができる。かくして本発明の漏洩同軸ケーブルを用いたダイバシティ方式は、ＬＣＸ１内を伝搬する高周波信号の方向を切換器１０によって切り換えることで同一受信地点におけるヌルポイントの形成ができにくくなり、受信機３は、安定した電界強度の電波を受信することができる。
【００２０】
次に本発明の第二の実施形態に係る漏洩同軸ケーブルを用いたダイバシティ方式について説明する。この実施形態が前述した第一の実施形態と異なるところは、切換器１０に接続された送信機２に換えて、受信機３をこの切換器１０に接続し、ＬＣＸ１をこの受信機３の受信アンテナとして用いる点にある。
このように構成された本発明の第二の実施形態において、送信機２から送出された電波は、ＬＣＸ１に設けられたスロットからＬＣＸ１内に導かれ、切換器１０を介して受信機３に与えられる。このとき切換器１０は、受信機３からの指令により切換制御部１３が制御され受信状態が良い側に切り換えられる。つまり本発明の第二の実施形態は、二つのアンテナを物理的に離して設置し、受信状態の良い側のアンテナが受けた電波を切換器で切り換えて受信機に導く、いわゆる空間ダイバシティ方式と同じように受信状態の良い側に切換器１０を切り換えて受信すればよい。これは、上述したＬＣＸ１から放射される電波が、ある放射角をもって放射されることの逆の現象であって、電波伝搬の可逆性を利用したものである。つまり送信機が送出した電波を受信する受信機がこの受信状態の良い場所にあるとすれば、送信機と受信機とを入れ替えて送信したとしても受信機の受信状態が良いことを利用している。
【００２１】
また送信機２が移動している場合であっても、受信機３に導かれる電波の電界強度が強くなるように切換制御部１３が受信機３の指令を受けて切換器１０を切り換えればよい。勿論本発明の第二の実施形態にあっては、所定の周期で切換器１０を切り換えてＬＣＸ１が受けた電波を受信機３に与えるようにしてもかまわない。
かくして、本発明の第二の実施形態に係る漏洩同軸ケーブルを用いたダイバシティ方式は、切換器１０によって切り換えてＬＣＸ１が受けた電波の電界強度が強い側の信号を受信機３に与えているので、良好な受信状態を維持することができる。
【００２２】
尚、前述した第一および第二の実施形態は、送信機が送出した電波を受信機が受信する場合を例示したが、本発明の漏洩同軸ケーブルを用いたダイバシティ方式は、送信機および受信機をそれぞれ送受信機として相互に通信を行うこともできる。つまり切換器１０を介してＬＣＸ１から電波を送出する場合は、上述した第一の実施形態を適用し、逆にＬＣＸ１がアンテナとなり受信した電波を、切換器１０を介して送受信機を受信機として作動させる場合は、上述した第二の実施形態を適用すればよい。このようにすることで、ＬＣＸ１と切換器１０との組み合わせによるダイバシティ方式を構成することができ、良好な通信状態を維持することができる。
【００２３】
尚、本発明の漏洩同軸ケーブルを用いたダイバシティ方式は、上記した実施の形態に限定されるものではなく、本発明の要旨を逸脱しない範囲内において種々変更を加え得ることができる。
【図面の簡単な説明】
【００２４】
【図１】本発明の第一の実施形態に係る漏洩同軸ケーブルを用いたダイバシティ方式の要部概略構成を示す図。
【図２】本発明の第二の実施形態に係る漏洩同軸ケーブルを用いたダイバシティ方式の要部概略構成を示す図。
【図３】従来の漏洩同軸ケーブルを用いた無線通信方式の要部概略構成を示す図。
【符号の説明】
【００２５】
１        漏洩同軸ケーブル（ＬＣＸ）
２        送信機
３        受信機
４        終端抵抗器
１０        切換器
１１，１２  スイッチ
１３        切換制御部
【図１】
2007312086.tif 000003
【図２】
2007312086.tif 000004
【図３】
2007312086.tif 000005